(57)【要約】【目的】２枚以上の蓋を重ね合わせると意味のあるイメージが現われる。【構成】多数の容器11，12，13の集合である。各容器は分離可能な蓋21，22，23を有し，多数の容器の多数の蓋の少なくとも一部は透明な部分を有する。これら多数の蓋には，文字，図形，記号およびこれらの組合せのうちの少なくとも一つを含む特定のイメージ 212Ａの一部を含む部分イメージ21Ａ，22Ａ，23Ａまたは他のイメージ23Ａが，単独では上記特定のイメージを表わさず，かつ透明な部分を有する蓋を含む少なくとも２枚の蓋を重ね合わせたときに上記特定のイメージが現われる組合せ 212Ａと上記特定のイメージが現われない組合せ 213Ａとが生じるように描かれている。【選択図】図１
2014114052.tif 000002
【特許請求の範囲】
【請求項１】
多数の容器の集合からなり，
各容器は分離可能な蓋を有し，
多数の容器の多数の蓋の少なくとも一部は透明な部分を有し，
これら多数の蓋には，文字，図形，記号およびこれらの組合せのうちの少なくとも一つを含む特定のイメージの一部を含む部分イメージまたは他のイメージが，単独では上記特定のイメージを表わさず，かつ透明な部分を有する蓋を含む少なくとも２枚の蓋を重ね合わせたときに上記特定のイメージが現われる組合せと上記特定のイメージが現われない組合せとが生じるように描かれている，
容器群。
【請求項２】
多数の蓋を有し，
上記多数の蓋の少なくとも一部は透明な部分を有し，
これら多数の蓋には，文字，図形，記号およびこれらの組合せのうちの少なくとも一つを含む特定のイメージの一部を含む部分イメージまたは他のイメージが，単独では上記特定のイメージを表わさず，かつ透明な部分を有する蓋を含む少なくとも２枚の蓋を重ね合わせたときに上記特定のイメージが現われる組合せと上記特定のイメージが現われない組合せとが生じるように描かれている，
蓋材。
【請求項３】
容器から分離可能で透明な部分を有する蓋を備え，
上記蓋には，文字，図形，記号およびこれらの組合せのうちの少なくとも一つを含む特定のイメージの一部を含む部分イメージが，単独では上記特定のイメージを表わさず，かつ他の蓋と重ね合わせたときに上記特定のイメージが現われるように描かれている，
容器。
【請求項４】
透明な部分を有する蓋であって，
この蓋には，文字，図形，記号およびこれらの組合せのうちの少なくとも一つを含む特定のイメージの一部を含む部分イメージが，単独では上記特定のイメージを表わさず，かつ他の蓋と重ね合わせたときに上記特定のイメージが現われるように描かれている，
蓋。
【発明の詳細な説明】
【技術分野】
【０００１】
この発明は，取外し可能な蓋を有する３つ以上の容器の集合である容器群，３つ以上の蓋を含む蓋材，上記容器群を構成する少なくとも１つの容器，および該容器の蓋に関する。
【背景技術】
【０００２】
一般に容器の表面には，収容物を明示または暗示する説明，絵柄等が描かれている。これらの説明，絵柄等は興味をそそる，人目を引く，魅力的，きれい，美しい，好ましいというような観点から創作されることが多いが，あくまでも美術的，意匠的なものである。
【０００３】
一方，割符の組み合わせ籤というのがある（特許文献１）。これは「電子的割符」を用いるものである。電子的割符とは，ある情報を複数に分割し，それぞれ分割されたものだけでは情報を復元することができないが，分割された情報を組み合わせると元の情報を復元できるという技術であり，この特許文献１には画像を例として電子的割符の作り方が数学的に説明されている。
【先行技術文献】
【特許文献】
【０００４】
【特許文献１】特開２００２−１６０４７９号公報
【０００５】
しかしながら，この特許文献１に記載されているものは理論にとどまり，未だ具体的技術思想としての発明に至っていないものである。
【発明の開示】
【０００６】
この発明は，単なる意匠ではなく，容器単体では特定の意味をもつイメージではないが，複数の容器を集め，それらの蓋を重ねると特定のイメージが現われ，これによりユーザには特別の興味をそそり，販売者には販売促進に効果のある容器群を提供することを目的とする。
【０００７】
この発明はまた，上記容器群の蓋の集合である蓋材を提供するものである。
【０００８】
この発明はさらに，上記容器群に含まれる特定の一つの容器を提供する。
【０００９】
さらにこの発明は，上記特定の容器の蓋を提供するものである。
【００１０】
この発明による容器群は，多数の容器の集合からなる。各容器は分離可能な蓋を有する。多数の容器の多数の蓋の少なくとも一部は透明な部分を有する。これら多数の蓋には，文字，図形，記号およびこれらの組合せのうちの少なくとも一つを含む特定のイメージの一部を含む部分イメージまたは他のイメージが，単独では上記特定のイメージを表わさず，かつ透明な部分を有する蓋を含む少なくとも２枚の蓋を重ね合わせたときに上記特定のイメージが現われる組合せと上記特定のイメージが現われない組合せとが生じるように描かれている。
【００１１】
この発明による蓋材は，多数の蓋を有する。上記多数の蓋の少なくとも一部は透明な部分を有する。これら多数の蓋には，文字，図形，記号およびこれらの組合せのうちの少なくとも一つを含む特定のイメージの一部を含む部分イメージまたは他のイメージが，単独では上記特定のイメージを表わさず，かつ透明な部分を有する蓋を含む少なくとも２枚の蓋を重ね合わせたときに上記特定のイメージが現われる組合せと上記特定のイメージが現われない組合せとが生じるように描かれている。
【００１２】
容器とは物体（液体，気体を含む）を入れられるものであればよく，孔があいていたり，網状になっているものでもよい。蓋は代表的には容器に接着，溶着等により固定され，外力により引き剥すことができるシート状（フィルム状，紙状，膜状のものを含む）のもののみならず，周壁を有し，嵌合，係合，ねじ式等により容器に着脱できるものも含む。複数の蓋が重ね合わされればよい（重ねあわせるときに周壁を蓋面と平らになるようにつぶしてもよいし，２枚の蓋の一方を表裏反転して重ね合わせてもよい）。
【００１３】
蓋材とはこのような蓋の集合，およびシート状蓋を分離する前の多数の蓋が配列されたシート材を含む。
【００１４】
多数とは３つ以上を指す。
【００１５】
すべての蓋が透明な部分を有していてもよい。蓋全体が透明でもよい。透明とは少なくとも２枚の蓋が重ね合わされたときに他方の蓋上の部分イメージの少なくとも一部が透けて見え，少なくとも２枚の蓋の部分イメージが合成可能であることを意味するので，半透明でもよい場合もある。
【００１６】
特定のイメージは文字，図形，記号およびこれらの組合せのうちの少なくとも一つを含むものであるから，人間にとって判読可能（意味をとることが可能，理解可能，認識可能）なものである。文字とは複数の文字，すなわち句，節，文章を含む。図形とは図柄，絵画，写真，イラスト等を含む。
【００１７】
記号は数字を含む。文字，図形，記号およびこれらの組合せは白黒，グレー・レベルのみならず色彩を施されたものを含む。したがって，部分イメージを重ねて合成したときに，複数の異なる色が重なってさらに他の色に見えて特定のイメージを表わすことになることも含まれる。
【００１８】
部分イメージは単独では上記特定のイメージを表わさないとは，最も好適な実施態様では判読不可能なイメージ，半端なイメージであるが，上記特定のイメージとは異なる他の判読可能なイメージを表わすものであってもよい。
【００１９】
一般的には，部分イメージは上記特定のイメージを多数の小さな部分に分割（分解）してその一部をランダムに，または法則性をもって抽出した（取出した）ものとして作成されるが，比較的広い領域で分けたものでもよいし，一部は色彩を分解したものでもよい。
【００２０】
たとえば，同じ部分イメージを重ね合わせても同じ部分イメージが現われるだけで上記特定のイメージは現われないから，また上記特定のイメージを異なるやり方で分解して作られた部分イメージを重ね合わせても上記特定のイメージは現われないから，上記他のイメージは必ずしも無くてもよい。
【００２１】
この発明においては，一個一個の容器の蓋に表わされたイメージは上記特定のイメージの全体を表わすものではなく，一般的には人間にとって必ずしも判読可能なものではない。しかし，２つ以上の容器を集め，それらの蓋を重ね合わせると，特定の組合せの場合には上記特定のイメージが現われる。このため，ユーザにとっては容器を集めてその蓋の組合せによって上記特定のイメージが現われるのを楽しみにして容器（容器の中に商品が入っている，または容器と中味とで商品を構成する）を購入し，販売者にとっては販売促進になり，特定のイメージによるキャンペーンを展開することも可能となる。
【００２２】
たとえば，２枚の蓋を重ね合わせると，当たりという文字もしくはそれを表わす図柄が出てきたり，外れという文字もしくはそれを表わす図柄が現われたりする。または，特等，一等，二等などの文字もしくはそれらを表わす図柄が現われるようにすることができる。上記の当たり，特等などの文字もしくは図柄を特定のイメージ，外れ，一等，二等などの文字もしくは図柄を特定のイメージでないものとしてもよいし，上記の当たり，外れ，特等，一等，二等などの文字もしくは図柄を特定のイメージ，重ね合わせても判読可能とならないものを特定のイメージでないものとしてもよい。
【００２３】
この発明は上記の特定のイメージを生じさせる蓋を備えた容器およびその蓋もまた提供している。
【００２４】
この発明による容器は，容器から分離可能で透明な部分を有する蓋を備えている。上記蓋には，文字，図形，記号およびこれらの組合せのうちの少なくとも一つを含む特定のイメージの一部を含む部分イメージが，単独では上記特定のイメージを表わさず，かつ他の蓋と重ね合わせたときに上記特定のイメージが現われるように描かれている。したがって，少なくとも２個の容器の蓋を組合せることにより上記特定のイメージを実現することができる。この発明は複数（少なくとも２個）の上記容器という実施態様も含むものである。
【００２５】
この発明による蓋は，透明な部分を有する蓋であって，この蓋には，文字，図形，記号およびこれらの組合せのうちの少なくとも一つを含む特定のイメージの一部を含む部分イメージが，単独では上記特定のイメージを表わさず，かつ他の蓋と重ね合わせたときに上記特定のイメージが現われるように描かれているものである。したがって，少なくとも２つの蓋を組合せることにより上記特定のイメージを実現することができる。この発明は複数（少なくとも２つ）の上記蓋という実施態様も含むものである。
【図面の簡単な説明】
【００２６】
【図１】実施例による２つの容器と，それらの容器の蓋を重ねることにより，特定のイメージが現われる様子を示すものである。
【図２】実施例による２つの容器と，それらの容器の蓋を重ねても，特定のイメージが現われない様子を示すものである。
【実施例】
【００２７】
図１および図２は２つずつの容器を示している。これらの容器11，12，13内には，ゼリー，水羊羹，ヨーグルト，キャンディー等の食物，子供のおもちゃ，その他の商品が入っている（容器を含めて商品と考えてもよい）。容器11，12，13は紙，プラスチック等によりつくられている。
【００２８】
容器11，12，13の上面開口は蓋21，22，23によりそれぞれ塞がれている。蓋21，22，23は容器11，12，13の上縁に溶着または接着されている。一般的には容器は蓋により密封されるが，場合によっては一部があいていてもよい。
【００２９】
蓋は合成樹脂フィルム，シート，紙と合成樹脂フィルムとの組合せ等によりつくられ，少なくともその一部（部分イメージが描かれている領域の一部）が透明である。
【００３０】
蓋21，22，23にはそれぞれ，何かの模様らしき絵柄（図柄）（部分イメージ）21Ａ，22Ａ，23Ａが描かれている（印刷されている）が普通の感覚ではその意味（もしあるとして）を把握することはできない（判読不可能）。
【００３１】
それぞれの容器11，12，13から蓋21，22，23を剥し，たとえば図１に示すように蓋21と22とを直接に重ねると，蓋21に描かれている絵柄（図柄）（部分イメージ）22Ａと蓋22の絵柄（部分イメージ）22Ａとが重なり，意味の分る絵柄（特定イメージ） 212Ａが現われる。ここでは，多重同心円上に「当たり」という文字が視認できる。
【００３２】
ところが，図２に示すように，蓋21と23とを直接に重ねて，蓋21の部分イメージ21Ａと蓋23に描かれている絵柄（部分イメージまたは他のイメージ）とを重ねても，意味のあるものとして判読可能な特定イメージは現われず，それとは異なる判読不可能なイメージ 213Ａが現われる。
【００３３】
図１に示すように，重ねて合成されることにより最終的に現われる絵柄（特定イメージ） 212Ａは，文字，図形，記号およびこれらの組合せ（色彩を含む）の少なくとも一つを含むものであり，したがって人間がそれをみて，表わされているものの意味を理解することができる（判読可能）。このような特定イメージを構成する部分イメージ21Ａ，22Ａを作るには，たとえば次のように行なえばよい。
【００３４】
すなわち，まず，特定イメージ 212Ａを作成して，この特定イメージ 212Ａを多数の小さな要素（部分）（１ドットずつでもよい）に分け，これらの要素を２つの部分イメージ21Ａ，22Ａに分配する。このとき，各部分イメージ21Ａ，22Ａが全体として判別不能となるように，ランダムに，または意図的に取出して各部分イメージ21Ａ，22Ａに分ける。もちろん，各部分イメージ21Ａ，22Ａに他のイメージを加えてもよい。部分イメージ21Ａ，22Ａが判読可能なものであってもよい。
【００３５】
図２に示す蓋23のイメージ23Ａの形態には種々の態様がある。
【００３６】
その１は，上述した特定イメージ 212Ａを分解して生成した部分イメージである場合である。端的には，部分イメージ21Ａと同じものでもよい。または，特定イメージ 212Ａから部分イメージ21Ａ，22Ａを作る分解とは異なるやり方で分解したものでもよい。
【００３７】
その２は，上記とは別のイメージ（たとえば「外れ」という文字）（これを特定イメージとしてもよいし，特定のイメージでないものとしてもよい）を分解して得られるものである。
【００３８】
その３は全く意味が分らない他のイメージそのもの，またはこれを分解して得られるものである。
【００３９】
いずれにしても多数の蓋には，少なくとも２つの蓋を組合せると特定のイメージが現われるもの（第１のグループ）と，特定のイメージが現われないもの（第２のグループ）とが含まれていればよい。３つ以上の蓋を重ね合わせて特定イメージが現われるようにしてもよい。蓋には部分イメージ等以外に別の模様，文字，図形等を表わしてもよい。
【００４０】
以上のように，一個一個の容器の蓋に表わされたイメージは上記特定のイメージの全体を表わすものではなく，一般的には人間にとって必ずしも判読可能なものではない。しかし，２つ以上の容器を集め，それらの蓋を重ね合わせると，特定の組合せの場合には上記特定のイメージが現われる。このため，ユーザにとっては容器を集めてその蓋の組合せによって上記特定のイメージが現われるのを楽しみにして容器付商品を購入し，販売者にとっては販売促進になり，特定のイメージによるキャンペーンを展開することも可能となる。
【００４１】
たとえば上述のような容器付商品を複数個（一般には多数個）を箱に詰め，贈答セット（お中元，お歳暮）として販売し，特定イメージが出現したときには何らかの景品を供与するようにすることができる。もちろん，容器付商品はバラ売りでもよいのはいうまでもない。
【００４２】
上記実施例では碗形容器が図示されているが，平面からみて方形，三角形等，任意の形状の容器にこの発明を実施できる。
【００４３】
この発明による蓋材は多数の蓋の集合を指すか，または一枚のシート（紙，合成樹脂製）に多数の蓋を印刷したものを意味する。後者の場合，一枚のシートから蓋を切り離して多数の蓋を作成することができる。
【符号の説明】
【００４４】
11，12，13  容器
21，22，23  蓋
21Ａ，22Ａ  部分イメージ
23Ａ  他のイメージ（部分イメージ）
212Ａ  特定イメージ
213Ａ  特定イメージでないイメージ
【図１】
2014114052.tif 000003
【図２】
2014114052.tif 000004